(57)【要約】【課題】  表示装置用前面板の上下左右の配置位置を目視で判別することが可能な構成であり、本構成を形成するために特別な工程を追加することを防止した表示装置用前面板を提供する。【解決手段】表示装置用前面板１は、下部に配置される表示装置３の表示エリアＡＲを囲むように枠状の印刷部４が形成され、印刷部４は少なくとも２層で形成されており、表示装置用前面板１の一方の主面である、裏面に１層目として、第１の印刷部４１を形成する。また、第１の印刷部４１の領域内であって、第１の印刷部４１と重なる位置に、２層目として、第２の印刷部４２を形成する。第２の印刷部４２は、表示装置用前面板１の外周側の端部の一部が第１の印刷部４１とは異なる形状で形成させる。【選択図】  図１
2016057322.tif 000002
【特許請求の範囲】
【請求項１】
外形が矩形で、透明材料で形成される表示装置用前面板であって、
前記表示装置用前面板は、一方の主面に少なくとも２層の枠状の印刷部を有し、
前記印刷部は、前記主面側に形成される第１の印刷部と、
前記第１の印刷部と重なる位置であって、反主面側に形成される第２の印刷部と、を備え、
前記第２の印刷部は、前記第１の印刷部の領域内の形状が前記第１の印刷部とは異なる形状であることを特徴とする表示装置用前面板。
【請求項２】
前記表示装置用前面板の１つのコーナー部において、前記第２の印刷部の前記第１の印刷部の領域内の形状が、切り欠きまたは穴を備えた形状であることを特徴とする請求項１記載の表示装置用前面板。
【請求項３】
前記切り欠きまたは穴は、前記第２の印刷部の外周部に形成されることを特徴とする、請求項１または２に記載の表示装置用前面板。
【請求項４】
前記第１の印刷部と前記第２の印刷部とは、互いに異なる色の着色部材で形成されることを特徴とする、請求項１乃至３のいずれかに記載の表示装置用前面板。
【請求項５】
請求項１乃至４のいずれか１項に記載の前記表示装置用前面板は、前記印刷部を形成した主面が、画像を表示する表示装置の表示面に対向して設置されることを特徴とする、表示装置。
【発明の詳細な説明】
【技術分野】
【０００１】
本発明は、表示装置の前面に配置される、表示装置用前面板および表示装置用前面板を備えた表示装置に関する。
【背景技術】
【０００２】
近年の情報電子機器の普及に伴い、表示パネルの前面に堅牢性を備えた表示装置用前面板とタッチパネルを備える表示装置が広く普及されている。表示パネルの前面に配置された表示装置用前面板は高い意匠性を有するために外周部に印刷が施されている場合、その印刷幅は各辺で異なることがある。外周部に印刷が施された表示装置用前面板は各辺で印刷幅が異なるため、表示パネルに貼り合わせる際に上下左右正しい向きに配置する必要があるが、印刷幅の差がわずかである場合、上下左右を判別することが困難な場合がある。
【０００３】
特許文献１に開示された表示装置用前面板においては、外形が四角形の透明基材の基材面上の外周部に着色層を有し、平面視で着色層の部分に目視では着色層と判別し難い難視認性位置識別マークを設けている。
【先行技術文献】
【特許文献】
【０００４】
【特許文献１】特開２０１１−２０３３１７公報
【発明の概要】
【発明が解決しようとする課題】
【０００５】
特許文献１の表示装置用前面板の構成によれば、上下左右を判別する難視認性位置識別マークは、目視では判別が困難な構造であるため、判別のために特殊な装置が必要となる。さらに、着色層に非形成部を形成して、非形成部を埋めるなど、難視認性位置識別マーク作成のための工程を追加しなければならないという問題点がある。
【０００６】
本発明は上記の問題点を解決するもので、表示装置用前面板の上下左右の配置位置を目視で判別することが可能な構成であり、本構成を形成するために特別な工程を追加することを防止した表示装置用前面板を提供する。
【課題を解決するための手段】
【０００７】
本発明の表示装置用前面板は、外形が矩形で、透明材料で形成される表示装置用前面板であって、表示用前面板は、一方の主面に少なくとも２層の枠状の印刷部を有し、印刷部は、主面側に形成される第１の印刷部と、第１の印刷部と重なる位置であって、反主面側に形成される第２の印刷部とを備え、第２の印刷部は、第１の印刷部の領域内の形状が第１の印刷部とは異なる形状であることを特徴とする。
【発明の効果】
【０００８】
本発明の構成によれば、表示装置用前面板の上下左右の配置位置を目視で判別することが可能な構成であり、本構成を形成するために特別な工程を追加することを防止する。
【図面の簡単な説明】
【０００９】
【図１】本発明の表示装置用前面板の後面図である。
【図２】図１に示す表示装置用前面板を備えた表示装置の分解斜視図である。
【発明を実施するための形態】
【００１０】
以下に図面を用いて本発明の表示装置用前面板について説明する。図１は本発明の表示装置用前面板の後面図である。図２は、図１に示す表示装置用前面板を備えた表示装置の分解斜視図である。本発明の表示装置は、図２の分解斜視図に示す通り、表示装置３の前面にタッチパネル２、表示装置用前面板１を配置している。
【００１１】
＜表示装置用前面板＞
表示装置用前面板１は、外部からの加圧や接触による損傷、変形、磨耗、汚れ等を防止するためにタッチパネル２の前面側（操作面側）または表示装置３の前面側（表示面側）に対向して配置されるもので、ガラスあるいはプラスチック等の概ね透明の材料により構成されている。本実施の形態において、表示装置用前面板１は、強度が高く変形しにくいガラスを用いている。また、タッチパネル２に配置する場合、厚さはタッチパネル２よりも厚いものを用い、タッチパネル２の概ね２倍以上の厚さを有すると、変形あるいは破損を避けることができる。また、表示装置用前面板１の表面あるいは後面への印刷や塗装を行うことにより、意匠部材としての機能を付加することもできる。なお、本発明における表示装置用前面板１は、タッチパネル２の前面に配置されている。
【００１２】
＜タッチパネル＞
タッチパネル２は、透明な基板上に形成された透明電極による回路により外部（操作者）から入力された位置座標に関する情報を電気信号に変換し、出力配線部材により最終製品の制御回路へ伝達する（図示せず）。なお、本実施の形態におけるタッチパネル２は、投射容量方式のものを用いている。投射容量方式のタッチパネル２は、操作者の指先等の位置を座標データが検知し、接触位置とその付近の複数の電極パターンによる電流量の比率を計測することで指の位置を精密に判別しすることで、信号の入力を行っている。また、タッチパネル２を構成する上下の基板は、透明なガラスなどが用いられる。
【００１３】
＜表示装置＞
表示装置３は、画像を表示する表示パネルと、必要であれば表示パネルを照明する照明装置より構成される。表示パネルは、液晶表示パネルなどが用いられる。
【００１４】
図１の表示装置用前面板１の後面図に示すように、本発明の実施の形態における表示装置用前面板１は矩形状であって、下部に配置される表示装置３の表示エリアＡＲを囲むように枠状の印刷部４が形成されている。本実施の形態における印刷部４は少なくとも２層で形成されており、表示装置用前面板１の一方の主面である、後面に１層目として、第１の印刷部４１を形成する。また、第１の印刷部４１の領域内であって、第１の印刷部４１と重なる位置に、２層目として、第２の印刷部４２を形成する。なお、第２の印刷部４２は、表示装置用前面板１の外周部の端部の一部が第１の印刷部４１とは異なる形状となるように形成させる。本実施の形態においては、第２の印刷部４２の４つのコーナー部のうち、１つのコーナー部１１の外周部の端部に第２の印刷部４２が欠如された切り欠き４２１を設ける。
【００１５】
次に、上記の通り構成した表示装置用前面板１を接着部材によりタッチパネル２に固定したものを表示装置３の前面に貼りつける。このとき、表示装置用前面板１の１コーナー部１１に設けられた切り欠き４２１を目視によって判別し、上下左右の配置位置を誤ることなく表示装置３に貼りつけることができる。または、簡易な自動貼り付け装置等により切り欠き４２１の形成位置を判別し、上下左右を判別して貼り付けを行う。
【００１６】
以上説明した通り、本発明の表示装置において、表示装置用前面板の１後面側に配置する印刷部４は少なくとも２層重ねて形成されており、第１の印刷部４１と第２の印刷部４２とを異なる形状で形成させる。よって、表示装置用前面板１を表示装置３（もしくはタッチパネル２）に対して、第２の印刷部４２の異なる形状の位置を確認し、上下左右の配置位置を目視によって判別することができる。異なる形状は、第１の印刷部４１の領域内において、第２の印刷部４２の一部を欠如させる切り欠き４２１とし、第２の印刷部４２の１つのコーナー部１１に形成させているため、目視での配置位置の確認が容易である。また、このような形状を形成する工程は、第１の印刷部４１に重ねて形成させる第２の印刷部４２の一部の形状を変えただけであるため、特別な工程を追加することを防止することができる。
【００１７】
切り欠き４２１は図面に示すように外周部より切り欠き４２１を形成する構成でもよいが、設計上必要であれば、切り欠き４２１に変えて穴形状を形成してもよい。また、表示エリアＡＲ側より切り欠き４２１もしくは穴を形成してもよい。ただし、第２の印刷部４２の外周部の端部の１つのコーナー部１１に切り欠き４２１を形成することにより、表示装置３から表示装置用前面板１側に到達する光は、第１の印刷部４１により遮光されるため、表示装置用前面板１の表面側に光が漏れることを防止することができるとともに表面側より切り欠き４２１が認識されることを防止することができる。
【００１８】
また、第２の印刷部４２の１つのコーナー部１１の切り欠き４２１は、変形例として、切り欠き４２１の角部を曲線、すなわち、Ｒ形状としてもよい。
【００１９】
なお、印刷部４の材料は、黒色の印刷部材で形成してよいが、第２の印刷部４２は黒以外の色で形成してもよい。第１の印刷部４１、第２の印刷部４２は、意匠性やデザインに応じて、適宜黒色以外の色を用いることもできる。第１の印刷部４１と第２の印刷部４２の色を異ならせることで、第２の印刷部４２に設けた切り欠き４２１が、さらに目視で判別しやすくすることができる。また、印刷部４は、遮光性を備えた印刷材料を印刷または塗装して形成、または印刷遮光性のあるテープを重ねて形成してもよい。また、第１の印刷部４１と第２の印刷部４２とは異なる材料を適宜選択することも可能である。
【符号の説明】
【００２０】
１  表示装置用前面板、１１  コーナー部、２  タッチパネル、３  表示装置、
４  印刷部、４１  第１の印刷部、４２  第２の印刷部、４２１  切り欠き。
【図１】
2016057322.tif 000003
【図２】
2016057322.tif 000004